(57)【要約】【課題】放送波を利用して配信されるコンテンツを容易に購入できる技術を提供する。【解決手段】放送波に乗せて配信されるコンテンツを再生する再生処理手段と、前記再生処理手段で再生処理中のコンテンツを識別可能な画像を表示する表示手段と、前記表示手段で表示されている画像に対応するコンテンツの購入希望を受け付ける要求受付手段と、前記要求受付手段で購入希望を受け付けたコンテンツに含まれる固有の識別情報に基づいて携帯端末で読み取り可能な所定のコードを生成するコード生成手段と、を備える。【選択図】図５
2009141432.tif 000002
【特許請求の範囲】
【請求項１】
放送波に乗せて配信されるコンテンツを再生する再生処理手段と、
前記再生処理手段で再生処理中のコンテンツを識別可能な画像を表示する表示手段と、
前記表示手段で表示されている画像に対応するコンテンツの購入希望を受け付ける要求受付手段と、
前記要求受付手段で購入希望を受け付けたコンテンツに含まれる固有の識別情報に基づいて携帯端末で読み取り可能な所定のコードを生成するコード生成手段と、
を備えるデータ処理装置。
【請求項２】
前記コード生成手段は、前記所定のコードを生成するとともに、生成した所定のコードを前記表示手段で表示されている画像に替えて表示させる、請求項１に記載のデータ処理装置。
【請求項３】
前記所定のコードは、携帯端末で読み取り可能なＱＲコードである、請求項１又は請求項２に記載のデータ処理装置。
【請求項４】
前記コンテンツは、楽曲に関する楽曲情報である、請求項１から請求項３のいずれか１に記載のデータ処理装置。
【請求項５】
放送波に乗せて配信されるコンテンツを再生する再生処理ステップと、
前記再生処理ステップで再生処理中のコンテンツを識別可能な画像を表示する表示ステップと、
前記表示ステップで表示されている画像に対応するコンテンツの購入希望を受け付ける要求受付ステップと、
前記要求受付ステップで購入希望を受け付けたコンテンツに含まれる固有の識別情報に基づいて携帯端末で読み取り可能な所定のコードを生成するコード生成ステップと、
を備えるデータ処理方法。
【請求項６】
前記コード生成ステップでは、前記所定のコードを生成するとともに、生成した所定のコードを前記表示ステップで表示されている画像に替えて表示させる、請求項５に記載のデータ処理方法。
【請求項７】
前記所定のコードは、携帯端末で読み取り可能なＱＲコードである、請求項５又は請求項６に記載のデータ処理方法。
【請求項８】
前記コンテンツは、楽曲に関する楽曲情報である、請求項５から請求項７のいずれか１に記載のデータ処理方法。
【発明の詳細な説明】
【技術分野】
【０００１】
本発明は、データ処理装置及びデータ処理方法に関する。
【背景技術】
【０００２】
近年、ＦＭ文字多重放送などの放送波を利用して楽曲に関する情報や広告に関する情報等を、オーディオ装置や、オーディオ装置を備えるカーデータ処理装置に配信する技術が知られている。例えば、特許文献１には、ＦＭ文字多重放送から取得した楽曲情報を記憶装置に蓄積しておき、蓄積した楽曲情報に関連する楽曲データを、ユーザの判断によってインターネット上のＷｅｂサーバからダウンロードする技術が開示されている。
【特許文献１】特開２００１−２９８４３０号公報
【発明の開示】
【発明が解決しようとする課題】
【０００３】
近年、ＦＭ文字多重放送などの放送波を利用して楽曲に関する情報等を、オーディオ装置や、オーディオ装置を備えるカーナビゲーション装置に配信する従来技術が知られている。このような従来技術によれば、ユーザは、配信された情報に基づいて例えば楽曲等を購入することができる。しかしながら、従来の技術では、楽曲が認識しづらいことや、実際に購入を希望するものと異なる楽曲を選択してしまうことが懸念されていた。すなわち、購入に際しては容易な操作で確実に希望する楽曲等を購入できる技術の開発が望まれていた。また、通信機能を持たないオーディオ装置では、楽曲等の購入ができないという問題があった。
【０００４】
本発明では、上記した問題に鑑み、放送波を利用して配信されるコンテンツを容易に購入できる技術を提供することを課題とする。
【課題を解決するための手段】
【０００５】
本発明では、上述した課題を解決するために、コンテンツを識別可能な画像を表示して購入希望を受け付け、購入希望を受け付けたコンテンツに対して携帯端末で読み取り可能なコードを生成することとした。
【０００６】
詳細には、本発明は、放送波に乗せて配信されるコンテンツを再生する再生処理手段と、前記再生処理手段で再生処理中のコンテンツを識別可能な画像を表示する表示手段と、前記表示手段で表示されている画像に対応するコンテンツの購入希望を受け付ける要求受付手段と、前記要求受付手段で購入希望を受け付けたコンテンツに含まれる固有の識別情報に基づいて携帯端末で読み取り可能な所定のコードを生成するコード生成手段と、を備える。
【０００７】
本発明によれば、コンテンツを識別可能な画像を表示して購入希望を受け付けることで、ユーザが誤って購入するといった事態を低減させることができる。すなわち、本発明によれば、ユーザは、容易な操作で確実に希望するコンテンツを購入することができる。データ処理装置には、例えばオーディオ装置や、オーディオ装置を備えるナビゲーション装置が例示される。
【０００８】
再生処理手段で再生されるコンテンツは、放送波に乗せて配信される。コンテンツには、楽曲情報、広告等様々な情報が含まれる。放送波には、ラジオ放送、多重放送、ＴＶ放送、デジタル放送といった放送を行う放送局に設置された送信装置から送信される電波が例示される。本発明では、このような既存のインフラを利用して、コンテンツが配信され
るので、ユーザは無料で様々な情報を得ることができる。
【０００９】
表示手段は、再生中のコンテンツを識別可能な画像を表示する。これにより、本発明によれば、ユーザが確実に再生中のコンテンツを一目で把握することができる。コンテンツを識別可能な画像は、静止画、動画のいずれであってもよい。また、要求受付手段は、表示手段で表示されている画像に対応するコンテンツの購入希望を受け付ける。従って、本発明によれば、画像を確認しながら購入することができる。
【００１０】
コード生成手段は、購入希望を受け付けたコンテンツに対応する所定のコードを生成する。この所定のコードは、携帯端末で読み取ることができる。携帯端末には、通信機能が予め設けられていることから、本発明によれば、通信機能を持たないデータ処理装置からのコンテンツの購入も可能となる。
【００１１】
ここで、本発明において、前記コード生成手段は、前記所定のコードを生成するとともに、生成した所定のコードを前記表示手段で表示されている画像に替えて表示させるようにしてもよい。表示手段に所定のコードを表示させることで携帯端末での読み取りを行うことができる。また、ユーザは、所定のコードが生成されたことを認識することができる。
【００１２】
また、本発明において、前記所定のコードは、携帯端末で読み取り可能なＱＲコード（登録商標）とすることができる。所定のコードは特に限定されるものではないが、ＱＲコードを用いることで容易にコードの生成ができ、また、携帯端末での読み取りを容易に行うことができる。また、所定のコードは、コンテンツの識別情報を有する文字コードとしてもよい。この場合、文字コードは、無線通信を介して携帯端末で読み取ることができる。所定のコードには、コンテンツの識別情報に加えてデータ処理装置の識別情報を含めてもよい。
【００１３】
なお、本発明は、上述したデータ処理装置を含む、コンテンツ配信システムとしてもよい。詳細には、本発明は、コンテンツを提供するコンテンツ提供装置によって暗号化されることで再生処理の制限が加えられているコンテンツを放送波に乗せて送信する送信装置と、前記送信装置によって送信されるコンテンツを受信し、再生処理するデータ処理装置と、前記データ処理装置で再生処理されるコンテンツに含まれる識別情報を前記コンテンツ提供装置へ送信し、かつ、該コンテンツ提供装置から再生処理の制限を解除するための解除キーを取得する携帯端末と、を備え、前記データ処理装置は、前記再生処理の制限が加えられているコンテンツを受信する受信手段と、前記受信手段で受信したコンテンツを再生処理する再生処理手段と、前記再生処理手段で再生処理されるコンテンツのうち、ユーザが希望するコンテンツに対して、前記携帯端末で読み取り可能な所定のコードを生成するコード生成手段と、前記携帯端末によって取得された解除キーに基づいて前記再生処理の制限が加えられているコンテンツを復号化する復号化処理手段と、を有する。
【００１４】
ここで、従来、データ処理装置が配信業者のコンテンツ提供装置へアクセス可能な通信機能を備えていない場合には、コンテンツの購入ができないという問題があった。また、データ処理装置が通信機能を仮に備えている場合であっても、データ処理装置が、配信業者が行う課金システムに対応可能なプログラムを備えていなければ、やはりコンテンツの購入ができないという問題があった。これに対し、本発明によれば、携帯端末を利用してコンテンツを購入する際の課金や解除キーの取得が行えるので、データ処理装置に通信機能がない場合であっても、コンテンツの購入を容易に行うことができる。また、本発明によれば、送信装置を備えることで、様々な情報発信が可能となる。
【００１５】
本発明で配信されるコンテンツは、コンテンツ提供装置において予め暗号化されており
、再生処理の制限が加えられている。再生処理の制限とは、例えば、コンテンツとしての楽曲に対して、イントロやサビのみ視聴できるように制限を施すことである。なお、コンテンツ提供装置は、コンテンツを提供する事業者に帰属するものであり、コンテンツ提供事業者には、音楽配信事業者、ニュース配信事業者、レコード会社、ＣＤショップ等が例示される。また、データ処理装置は、復号化処理手段を備えることで、携帯端末によって取得された解除キーに基づいて暗号化されたコンテンツの復号化を容易に行うことができる。
【００１６】
なお、本発明において、前記コード生成手段は、前記ユーザが購入を希望するコンテンツに対して所定のコードを生成し、前記携帯端末は、前記ユーザが購入を希望するコンテンツに対する課金が実行された際に発行される前記解除キーを取得し、前記復号化処理手段は、前記携帯端末によって取得される解除キーであって、前記コンテンツに対する課金が実行された際に発行される解除キーに基づいて前記再生処理の制限が加えられているコンテンツを復号化するようにしてもよい。本発明によれば、解除キーが課金、すなわち決済が正常に実行された際に発行されるものであるため、コンテンツの購入を安全かつ確実に効率よく行うことができる。
【００１７】
また、本発明において、前記コンテンツは、楽曲に関する楽曲情報であり、前記送信装置は、前記コンテンツ提供装置によって暗号化されることで楽曲の一部のみが視聴可能に制限されている有料の楽曲情報を放送波に乗せて送信するようにしてもよい。本発明によれば、楽曲の提供を効率よく行うことができる。
【００１８】
また、本発明は、上述したコンテンツ配信システムやコンテンツ配信システムを構成するデータ処理装置、送信装置、携帯端末、コンテンツ提供装置で実行される処理を実現させる方法、又はプログラムであってもよい。更に、本発明は、そのようなプログラムを記録したコンピュータが読み取り可能な記録媒体であってもよい。この場合、コンピュータ等に、この記録媒体のプログラムを読み込ませて実行させることにより、その機能を提供させることができる。なお、コンピュータ等が読み取り可能な記録媒体とは、データやプログラム等の情報を電気的、磁気的、光学的、機械的、又は化学的作用によって蓄積し、コンピュータ等から読み取ることができる記録媒体をいう。
【発明の効果】
【００１９】
本発明によれば、放送波を利用して配信されるコンテンツを容易に購入できる技術を提供することができる。
【発明を実施するための最良の形態】
【００２０】
次に、本発明のデータ処理装置の実施形態についてデータ処理装置を含むコンテンツ配信システムを例に説明する。なお、本実施形態では、コンテンツとしての楽曲情報をデータ処理装置へ配信する場合を例に説明するものとする。
【００２１】
＜構成＞
図１は、本実施形態のコンテンツ配信システムの概略構成を示す。同図に示すように、本実施形態のコンテンツ配信システム１００は、放送局に設置される送信装置１と、ユーザが所有するナビゲーション装置２及び携帯端末３と、音楽配信業者に設置されるコンテンツ提供装置４と、によって構成されている。
【００２２】
（送信装置）
送信装置１は、ラジオ放送、多重放送、ＴＶ放送、デジタル放送といった放送を行う放送局に設けられ、放送波に乗せて楽曲情報を送信する。ここで、図２は、送信装置１の機能ブロック図を示す。送信装置１は、通信インターフェース部１１と、ＣＰＵ（中央演算
処理装置）１４と、制御部１２と、記憶部１３と、送信部１０とによって構成されている。また、制御部１２は、データベース（データベース）更新処理部１５、情報抽出処理部１６、メモリ１８によって構成されている。なお、楽曲情報に替えて広告等も送信することができる。
【００２３】
なお、制御部１２は、ＣＰＵ１４上で実行されるコンピュータプログラムとして構成することができる。ＣＰＵ１４は、図示しないバスを介して制御部１２や記憶部１３等の各ハードウェアと接続され、各ハードウェアを制御すると共に、メモリ１８に格納された制御プログラムに従って、所定の処理を実行する。なお、メモリ１８は、揮発性のＲＡＭ（Random Access Memory）と、不揮発性のＲＯＭ（Read Only Memory）を含む。ＲＯＭには、フラッシュメモリ、ＥＰＲＯＭ（Erasable Programmable Read-Only Memory）、ＥＥＰＲＯＭ（Electrically Erasable Programmable Read-Only Memory）のような書き換え可
能な半導体メモリを含む。
【００２４】
通信インターフェース部１１は、音楽配信業者に設置されているコンテンツ提供装置４から送信される楽曲情報を受信する。通信インターフェース部１１で受信された楽曲情報は、制御部１２へ送られる。通信インターフェース部１１は、ＬＡＮ（Local Area Network）ボードなどの通信デバイスによって構成することができる。なお、通信インターフェース部１１は、コンテンツ提供装置４との間で双方向通信を行うようにしてもよい。コンテンツ提供装置４については、後述する。
【００２５】
データベース更新処理部１５は、制御部１２で行われる処理の一部を実行する。具体的には、データベース更新処理部１５は、通信インターフェース部１１から送られる楽曲情報を楽曲情報データベース１９に格納する。例えば、データベース更新処理部１５は、楽曲情報を、楽曲名、アーティスト名、イベント日時、イベント場所といった項目に対応させて楽曲情報データベースに格納する。
【００２６】
記憶部１３は、楽曲情報データベース１９を備え、楽曲情報データベース１９には、楽曲情報が格納される。ここで、図３は、楽曲情報データベース１９の一例を示す。楽曲情報には、曲データや、曲データのタイトルといった楽曲に直接関連する情報の他、楽曲に関連するアーティスト情報、イベント情報も含まれる。また、アーティスト情報には、ＣＤジャケット画像やアーティストのプロフィール画像といった静止画や動画を含む画像情報や、アーティストのコンサートといったイベント情報、プロフィール情報、新譜発売情報といった文字情報が含まれる。楽曲情報データベース１９は、リレーショナルデータベースとし、ＣＤの識別情報であるＴＯＣ（Table of Contents）、楽曲名、アーティスト
名といったキー項目を用いて関連付けて記憶することが好ましい。なお、記憶部１３は、ストレージ装置やストレージシステムといった大容量記憶装置によって構成することができる。
【００２７】
情報抽出処理部１６は、制御部１２で行われる処理の一部を実行する。具体的には、情報抽出処理部１６は、放送スケジュールなどに応じて、楽曲情報データベース１９から該当する楽曲情報を抽出し、抽出した楽曲情報を送信部１０に送る。例えば、情報抽出処理部１６は、音楽配信事業者のランキング情報や、放送局の番組において放送する楽曲などに応じて楽曲情報を抽出する。
【００２８】
送信部１０は、暗号化処理が施されている楽曲情報を放送波に乗せて送信する。具体的には、送信部１０は、通常の放送データが用いる放送チャンネルとは異なる放送チャンネルを用い、ラジオ番組やテレビ番組と平行して楽曲情報を送信する。送信された楽曲情報は、ユーザのナビゲーション装置２によって受信されることになる。
【００２９】
なお、上記に加えて、送信装置１には、操作部や表示部を設けてもよい。操作部は、コンピュータの入力装置、例えば、キーボード、ポインティングデバイス等によって構成することができる。表示部は、例えば、液晶表示装置、プラズマディスプレイパネル、ＣＲＴ（Cathode Ray Tube）、エレクトロルミネッセンスパネル等によって構成することができる。
【００３０】
（ナビゲーション装置）
次に車両に搭載されるナビゲーション装置（本発明のデータ処理装置に相当する。）２について説明する。ここで、図４は、ナビゲーション装置２の概略構成を示す。本実施形態のナビゲーション装置２は、ディスク再生部２１と、メモリーカード再生部２２と、ＴＶ受信部２３と、ラジオ受信部２４と、ディスプレイ２５と、ＧＰＳ情報受信部２６と、操作部２７と、赤外線通信部２８と、これらと電気的に接続される制御部２２と、により構成されている。
【００３１】
ディスク再生部２１は、ＣＤやＤＶＤ等に記録されているコンテンツを再生する。ディスク再生部２１は、ＣＤ／ＤＶＤデッキによって構成することができる。メモリーカード再生部２２は、ＵＳＢメモリ、ＳＤメモリーカードといった移動型記憶媒体に格納されているコンテンツを再生する。ＴＶ受信部２３は、ＤＴＶ（Digital Television）放送やワンセグ放送を受信する。ＴＶ受信部２３は、既存のチューナによって構成することができる。ラジオ受信部２４は、ＦＭ放送、ＡＭ放送、ＶＩＣＳ情報等を受信する。ラジオ受信部２４は、既存のチューナによって構成することができる。なお、ＴＶ受信部２３又はラジオ受信部２４により、送信装置１から送信される楽曲情報を取得することができる。
【００３２】
ディスプレイ２５は、地図情報や誘導経路の他、送信装置１から放送波に乗せて送信された楽曲情報を表示する。ディスプレイ２５は、タッチパネル方式であることが好ましいが、既存の様々なディスプレイを適用することができる。ＧＰＳ情報受信部２６は、ＧＰＳ情報を受信する。ＧＰＳ情報受信部２６は、既存のＧＰＳ用受信アンテナによって構成することができる。操作部２７は、ユーザの操作に応じて、操作ボタンに対応する電気信号を制御部１２へ送信する。操作部２７は、ナビゲーション装置２に設けてもよく、また、遠隔操作を可能とするリモートコントローラであってもよい。赤外線通信部２８は、携帯端末３から出力される赤外線を受信する。
【００３３】
なお、ナビゲーション装置２は、車両に対して取り外し可能ないわゆるポータブルナビであってもよい。その場合には、ナビゲーション装置２は、上記に加えて、スピーカやメモリーカードを内蔵する構成とすればよい。スピーカは、ディスク再生部２１やメモリーカード再生部２２で再生される音声を出力する。メモリーカードには、ＵＳＢメモリ、ＳＤメモリーカードといった移動型記憶媒体が例示される。
【００３４】
次に、ナビゲーション装置２の制御部２２ａついて説明する。図５は、ナビゲーション装置２の機能ブロック図を示す。同図に示すように、制御部２２ａは、再生処理２１ａと、コード生成部２３ａと、要求受付部２５ａと、解除キー受付部２７ａと、復号化処理部２９ａと、メモリ２８ａと、によって構成されている。なお、制御部２２ａは、ＣＰＵ、メモリ等を含むコンピュータとコンピュータ上で実行されるプログラムによって実現することができる。また、制御部２２ａには、上記に加えて、ナビゲーション装置としての基本的な機能を担う、渋滞情報取得部、目的地設定部等が設けられている（図示せず。）。
【００３５】
再生処理部２１ａは、ラジオ受信部２４若しくはＴＶ受信部２３（以下、ラジオ受信部２４等とする。）で受信した楽曲情報を再生処理する。具体的には、再生処理部２１ａは、ラジオ受信部２４等で受信した暗号化処理が施された楽曲情報を記憶部２３ａへ格納し、再生可能な部分、すなわち無料で視聴可能な部分のみ再生処理する。再生処理には、楽
曲の音声情報の再生の他、ＣＤジャケット画像等の静止画の表示、動画の再生、曲データのタイトル等の表示が含まれる。例えば、再生処理部２１ａは、再生する複数のタイトルをディスプレイ２５に表示し、無料で視聴が可能な部分の音声情報を順次再生し、再生中の楽曲については、ディスプレイ２５にＣＤジャケット画像を表示する。これにより、ユーザは、一目視聴している楽曲のタイトル等を認識することができる。
【００３６】
要求受付部２５ａは、操作部２７を介して再生処理中の楽曲に対してユーザからの購入希望を受け付ける。例えば、要求受付部２５ａは、再生中の楽曲のＣＤジャケット画像とともに表示される購入ボタンを介してユーザからの購入希望を受け付ける。なお、タッチパネルディスプレイの場合には、ディスプレイ２５から購入希望を受け付けるようにしてもよい。
【００３７】
コード生成部２３ａは、購入希望があった楽曲についてコード処理を施す。具体的には、コード生成部２３ａは、購入希望があった楽曲のタイトル名とＩＤを特定し、ＱＲコード（登録商標）を生成し、ディスプレイ２５に表示する。ＱＲコードの生成は、バージョン、セルサイズの決定等を行い、楽曲のタイトル情報、楽曲固有のＩＤ、この楽曲を購入可能な配信業者のサイトのＵＲＬ、ナビゲーション装置２のシリアルナンバー等の必要な情報に基づいて行う。このようなＱＲコードの生成は、既存のＱＲコード生成プログラムによって実現することができる。
【００３８】
なお、本実施形態では、コードとして二次元コードとしてのＱＲコードを用いたがこれに限定されるものではない。コードは、楽曲のタイトル情報や楽曲固有のＩＤといった必要な情報が記録でき、携帯端末によって読み取り可能であればよい。従って、例えば、楽曲のタイトル情報、楽曲固有のＩＤ、この楽曲を購入可能な配信業者のサイトのＵＲＬ、ナビゲーション装置のシリアルナンバー等の必要な情報を文字コード化してディスプレイ２５に表示するようにしてもよい。文字コード化された情報は、Bluetooth（登録商標）
、FeliCa（登録商標）、といった無線通信技術を用い、携帯端末で読み取ることができる。
【００３９】
解除キー受付部２７ａは、携帯端末３から暗号化されている楽曲情報を復号化するために必要となる解除キーを受け付ける。携帯端末３からの解除キーの受付は、赤外線通信部２８を介して行うことができる。但し、これに限定されない。解除キーの受付は、Bluetooth（登録商標）、FeliCa（登録商標）、といった他の無線通信技術によって行ってもよ
い。また、操作部２７を介して解除キーをユーザが直接入力するようにしてもよい。この場合には、セキュリティ性の向上のため、更に暗号化したコードを入力させることが好ましい。更なる暗号化の方法としては、携帯端末や音楽配信業者のサイトにて暗号化する際に用いた鍵コードと、暗号化された解除キーの両方を入力させる方法や、製品のシリアルＩＤを用いて暗号化しておき、解除キーに加えてシリアルＩＤを入力させる方法等が例示される。
【００４０】
復号化処理部２９ａは、解除キー受付部２７ａで受け付けた解除キーに基づいて暗号化された楽曲情報のうちの所定の楽曲の復号化を行う。すなわち、記憶部２３ａに記憶されている楽曲情報の中から解除キーを取得した楽曲を選択し、選択した楽曲について複合化処理を行う。複合化された楽曲については、制限が解除され自由に視聴することが可能となる。
【００４１】
（携帯端末）
次に携帯端末３について説明する。携帯端末３は、購入を希望する楽曲のコード（本実施形態ではＱＲコード）を読み取り、コンテンツ利用料の清算、暗号化処理が行われている楽曲を復号化するための解除キーを取得する。ここで、図６は、携帯端末３の機能ブロ
ック図を示す。図６に示すように、携帯端末３は、ＣＰＵ３４、制御部３１、操作部３２、表示部３３、カメラ３５、外部機器と接続可能なインターフェース部３６から構成されている。また、制御部３１は、コード取得部３７、コード処理部３８、メモリ３９、転送部３０から構成されている。
【００４２】
ＣＰＵ３４は、各ハードウェアと接続され、例えばメモリ３９としてのＲＯＭに格納された制御プログラムに従って、所定の処理を実行する。メモリ３９は、揮発性のＲＡＭと、不揮発性のＲＯＭとを含む。操作部３２は、携帯端末３を操作するのに必要な一般的な操作ボタンであればよく、タッチディスプレイ方式であってもよい。本実施形態のインターフェース部３６は、ナビゲーション装置２と通信可能な赤外線ポートによって構成されている。但し、インターフェース部３６は、ナビゲーション装置２と電気的に接続可能なものであればよく、有線、無線を問わない。インターフェース部３６は、ケーブルを接続するコネクタであってもよく、また、Bluetooth（登録商標）であってもよい。コード取
得部３７は、カメラ３５を介してナビゲーション装置２のディスプレイ２５に表示されるＱＲコードを取得する。
【００４３】
コード処理部３８は、コード取得部３７で取得されたＱＲコードに含まれる情報を読み込み、所定の処理を実行する。具体的には、コード処理部３８は、ＱＲコードに含まれるタイトル、ＩＤ、ＵＲＬ、ナビゲーション装置２のシリアルナンバーを読み込み、これらを表示部３３に表示する。また、コード処理部３８は、表示部３３に表示されたＵＲＬが選択されると、選択されたＵＲＬ、すなわち音楽配信業者のＷｅｂサイトへアクセスする。表示部３３には、音楽配信業者のＷｅｂページが表示され、ユーザの識別情報を含む楽曲の購入に必要な情報を入力することで、コンテンツ利用料の清算、解除キーの取得が可能となる。なお、コード処理部３８は、ＣＰＵ３４で実行可能な既存のＱＲコード読取プログラムによって構成することができる。なお、タイトル、ＩＤ、ＵＲＬ、ナビゲーション装置２のシリアルナンバーといった情報を含む文字コードをBluetooth、FeliCaといっ
た無線通信技術を用いて取得した場合には、コード処理部３８は、このような文字コードを読み込むとともに表示部３３に表示することができる。
【００４４】
転送部３０は、コード処理部３８で取得した解除キーをインターフェース部３６を介してナビゲーション装置２へ転送する。転送部３０は、ＣＰＵ３４上で実行されるコンピュータプログラムとして構成することができる。なお、転送部３０を構成するプログラムは、上記コード処理部３８を構成するプログラムに組み込んでもよい。メモリ３９は、携帯端末３に必要な各種制御プログラム、すなわち、コード処理部３９や転送部３０を構成するプログラムを格納する。
【００４５】
（コンテンツ提供装置）
次にコンテンツ提供装置４について説明する。コンテンツ提供装置４は、音楽配信業者に設置され、放送局の送信装置１に楽曲情報等を提供すると共に、ユーザに対して課金処理を行う。ここで、図７は、コンテンツ提供装置４の機能ブロック図を示す。同図に示すように、コンテンツ提供装置４は、記憶部４３と、ＣＰＵ４４と、制御部４２とによって構成されている。制御部４２は、コンテンツ提供部４５と、暗号化処理部４６と、課金処理部４７と、メモリ４８によって構成されている。
【００４６】
コンテンツ提供部４５は、外部のＣＤＤＢ５１（ＣＤＤＢ（登録商標）：Compact Disc
Data Base）へアクセスし、ＣＤＤＢ５１から所定の楽曲情報を抽出する。暗号化処理部４６は、楽曲毎にＩＤを設定すると共に、送信する楽曲情報のうち、受信したナビゲーション装置２では一部の情報のみが確認できるように、暗号化処理を施す。例えば、暗号化処理部４６は、楽曲のイントロ部分やサビ部分のみ無料で視聴できるように楽曲情報に対して制限を加える。換言すると、無料で視聴可能な以外の部分については、楽曲固有のＩ
Ｄに対応する解除キーを用いた場合のみ視聴できるように暗号化処理を行った上で楽曲情報を送信部４１からネットワークを介して放送局に送信する。なお、暗号化処理部４６は、暗号化処理を実行する際に、暗号化された楽曲情報を復号化するための解除キーを発行し、これを記憶部４３に楽曲毎に記憶させる。
【００４７】
課金処理部４７は、携帯端末３からの購入要求に応じて解除キーを送信する。具体的には、課金処理部４７は、Ｗｅｂページに入力された楽曲のＩＤに基づいてユーザが購入を希望する楽曲に対応する解除キーを記憶部４３から抽出する。更に、課金処理部４７は、コンテンツ利用料の清算を確認した後、抽出した解除キーを携帯端末３へ提供する。なお、課金処理部４７による解除キーの提供は、Ｗｅｂページ上で行ってもよく、また、メール等によって別途送信するようにしてもよい。
【００４８】
＜処理フロー＞
次に本実施形態のコンテンツ配信システム１００で行われるコンテンツ配信処理フローについて説明する。以下の説明では、放送局から一部のみ視聴可能な有料の楽曲情報が配信される場合について説明する。また、以下の説明では、上述した送信装置１、ナビゲーション装置２、携帯端末３及びコンテンツ提供装置４の夫々において行われる処理について説明する。なお、これらの処理は、各装置のＣＰＵが所定のプログラムを読み込むことで実行される。
【００４９】
（楽曲情報送信処理）
まず、送信装置１で行われる楽曲情報送信処理について説明する。図８は、送信装置１で行われる楽曲情報送信処理のフローを示す。ステップＳ０１では、通信インターフェース部１１で受信した楽曲情報が楽曲情報データベース１９に記録される。楽曲情報は、外部に設置されているＣＤＤＢ５５に格納されているものであり、コンテンツ提供装置４を介して提供される予め暗号化処理が行われた有料コンテンツである。楽曲情報の取得が完了すると、ステップＳ０２へ進む。
【００５０】
ステップＳ０２では、放送スケジュールなどに応じて楽曲情報データベース１９から該当する楽曲情報が抽出される。続いてステップＳ０３では、抽出された楽曲情報（暗号化処理済み）が放送波に乗せて送信される。楽曲情報の送信が完了すると、楽曲情報がナビゲーション装置２で受信され、ユーザの購入希望に応じてコード生成処理が行われる。
【００５１】
（コード生成処理）
次に、ナビゲーション装置２で行われるコード生成処理について説明する。図９は、コード生成処理のフローを示す。ステップＳ１１では、送信装置１から放送波に乗せて送信された楽曲情報がラジオ受信部２４若しくはＴＶ受信部２３によって取得される。取得された楽曲情報は、ナビゲーション装置２の記憶部２３ａへ記録される。楽曲情報の取得が完了するとステップＳ１２へ進む。
【００５２】
ステップＳ１２では、楽曲の再生処理が開始される。具体的には、ナビゲーション装置２の操作部２７若しくはディスプレイ２５のスタートボタン（図示せず）等が選択されることで、楽曲情報の再生処理が実行されると共に、チャンネル選択画面が表示される。ここで図１０は、チャンネル選択画面を示す。同図に示すように、チャンネル選択画面には、夏歌特集、ＴＯＰ１０、ジャンル別、ＰＶといったように、複数のチャンネルが選択可能に表示されている。夏歌特集は、季節をキーワードとして抽出されたものであり、ＴＯＰ１０は、音楽配信業者のランキング情報に基づいて抽出されたものであり、ジャンル別は、例えば演歌、ポップス、クラシックといったようにカテゴリーによって抽出されたものであり、ＰＶは、プロモーションビデオ付きの楽曲を抽出したものである。なお、本実施形態では、ナビゲーション装置２の操作部２７若しくはディスプレイ２５のスタートボ
タンが選択されることで、すなわち、チャンネル選択が行われる前に楽曲の再生処理が行われる。但し、これに限定されるものではなく、チャンネルの選択後に楽曲の再生処理を開始してもよい。なお、楽曲情報は、暗号化されていることから再生処理では、例えばサビだけといったように無料視聴可能な部分のみ再生される。再生処理が開始されるとステップＳ１３へ進む。
【００５３】
ステップＳ１３では、楽曲情報に関し、ユーザの購入希望が受け付けられる。ここで図１１は、購入受付画面を示す。なお、図１１は、図１０において夏歌特集がユーザによって選択された場合を示す。同図に示すように、購入受付画面には、再生中のＣＤジャケット画像と、夏歌特集として抽出された複数の楽曲のタイトルが表示されている。また、ＣＤジャケット画像の下には、購入ボタン５５が設けられている。従って、購入を希望する場合、ユーザは、ディスプレイ２５に設けられている購入ボタン５５を選択すればよい。なお、夏歌特集が選択された場合、夏歌特集として抽出された楽曲１から５が順次所定時間ずつ（例えば１０ｓｅｃ）生成され、ＣＤジャケットも生成処理中の楽曲に合わせて切り替えられる。再生処理できるのは、無料視聴が可能な例えばサビのみであるが、視聴し直したい際は、視聴し直したい楽曲のタイトルを選択すれば繰り返しの視聴が可能である。ユーザからの購入希望の受け付けが完了すると、ステップＳ１４へ進む。
【００５４】
ステップＳ１４では、購入希望があった楽曲についてコード生成処理が実行される。具体的には、購入希望があった楽曲のタイトル、ＩＤ、購入先のＵＲＬ、ナビゲーション装置２のシリアルナンバーに基づいてＱＲコードが生成され、生成されたＱＲコードがディスプレイ２５に表示される。ここで、図１２は、ＱＲコードが表示された画面を示す。同図に示すように、ＣＤジャケットが表示されていた位置（図１１参照。）に、ユーザが購入を希望した楽曲に対応するＱＲコードが表示されている。表示されたＱＲコードには、ユーザが購入を希望した楽曲のタイトル、ＩＤ、購入先のＵＲＬ等の情報が含まれている。なお、既に、購入が完了した楽曲については、楽曲のタイトル左に「ＧＥＴ」が表示される。その結果、ユーザは、購入が完了した楽曲を一目で把握することができる。以上により、コード生成処理が完了する。本実施形態では、ＱＲコードが生成されるが、タイトル、ＩＤ、ＵＲＬ、ナビゲーション装置２のシリアルナンバーといった情報を含む文字コードを生成し、表示してもよい。生成された文字コードは、Bluetooth、FeliCaといった
無線通信技術を用いて携帯端末３で読み取ることができる。
【００５５】
（コード処理・解除キー送信処理）
次に携帯端末３で行われるコード処理及び解除キー送信処理について説明する。図１３は、コード処理及び解除キー送信処理のフローを示す。ステップＳ２１では、ＱＲコードが取得される。具体的には、コード生成処理後、携帯端末３によってＱＲコードの読み込みを行うことで、ＱＲコードが携帯端末３へ読み込まれる。ここで、図１４は、携帯端末３によってＱＲコードを読み込む状態を示す。同図に示すように、ＱＲコードは、ＱＲコードを読み取るアプリケーションを立ち上げ、撮影することで読み込まれる。これにより、楽曲のタイトル、ＩＤ、ＵＲＬ等が取得される。ＱＲコードの取得が完了すると、ステップＳ２２へ進む。なお、文字コードを生成した場合には、上述したようにBluetooth、FeliCaといった無線通信技術を用いて携帯端末３で読み取ることができる。
【００５６】
ステップＳ２２では、購入に必要となる情報が入力される。具体的には、まず、ＱＲコードに含まれるＵＲＬへのアクセスが開始され、携帯端末３の表示部３３には、音楽配信業者のＷｅｂページが表示され、購入に必要なユーザの識別情報が携帯端末３の操作部２７を介して入力される。購入に必要なユーザの識別情報が入力されると、コンテンツ提供装置４側において課金処理、及び解除キー発行処理が行われる。ここで、図１５は、携帯端末３の表示状態を示す。同図に示すように図１５（ａ）においてＵＲＬが表示され、その後、図１５（ｂ）に示すように解除キーが表示される。コンテンツ提供装置４によって
解除キーが発行されるとステップＳ２３へ進む。なお、課金処理及び解除キー発行処理の詳細については後述する。
【００５７】
ステップＳ２３では、コード生成部３３によって解除キーが取得され、取得された解除キーは赤外線通信によってナビゲーション装置２へ転送される。赤外線通信に替えて、Bluetooth、FeliCaといった無線通信技術を用いてもよい。なお、ナビゲーション装置２で
は、その後取得された解除キーに基づいて復号化処理が実行される。以上により、楽曲の購入が完了し、サビ部分だけではなく、楽曲情報に含まれる全てのコンテンツの再生処理を行うことが可能となる。
【００５８】
（課金処理及び解除キー発行処理）
次に、コンテンツ提供装置４で実行される課金処理及び解除キー発行処理について説明する。図１６は、課金処理及び解除キー発行処理のフローを示す。ステップＳ３１では、携帯端末３に表示されているＷｅｂページを介して購入に必要なユーザの識別情報が入力される。続いてステップＳ３２では、課金処理部４７によりユーザが購入を希望する楽曲について正常に決済が実行されたか否かが判断される。決済が正常に実行された場合、ステップＳ３３へ進む。一方、正常に決済が実行されなかった場合、課金処理及び解除キー発行処理が終了する。
【００５９】
ステップＳ３３では、決済が正常に実行された場合、解除キーが発行される。具体的には、暗号化処理を実行する際に解除キーを発行しておき、決済が正常に実行された場合、携帯端末３へ送信する。
【００６０】
＜効果＞
以上説明した本実施形態のコンテンツ配信システム１００によれば、送信装置１を備えることで、様々な情報発信が可能となる。また、携帯端末３を利用してコンテンツを購入する際の課金や解除キーの取得が行えるので、ナビゲーション装置２に通信機能がない場合であっても、コンテンツの購入を容易に行うことができる。また、本実施形態のコンテンツ配信システム１００によれば、コンテンツの配信、購入といった一連の処理を放送波やネットワークといった従来のインフラを利用して実現することができる。従って、少ない設備投資で容易にコンテンツの配信や購入ができるシステムを提供することができる。
【図面の簡単な説明】
【００６１】
【図１】本実施形態のコンテンツ配信システムの概略構成を示す。
【図２】送信装置の機能ブロック図を示す。
【図３】楽曲情報データベースの一例を示す。
【図４】ナビゲーション装置の概略構成を示す。
【図５】ナビゲーション装置の機能ブロック図を示す。
【図６】携帯端末の機能ブロック図を示す。
【図７】コンテンツ提供装置の機能ブロック図を示す。
【図８】楽曲情報送信処理のフローを示す。
【図９】コード生成処理のフローを示す。
【図１０】チャンネル選択画面を示す。
【図１１】購入受付画面を示す。
【図１２】ＱＲコードが表示された画面を示す。
【図１３】コード処理及び解除キー送信処理のフローを示す。
【図１４】携帯端末によってＱＲコードを読み込む状態を示す。
【図１５】携帯端末の表示状態を示す。
【図１６】課金処理及び解除キー発行処理のフローを示す。
【符号の説明】
【００６２】
１・・・送信装置
２・・・ナビゲーション装置
３・・・携帯端末
４・・・コンテンツ提供装置
１００・・・コンテンツ配信システム
【図１】
2009141432.tif 000003
【図２】
2009141432.tif 000004
【図３】
2009141432.tif 000005
【図４】
2009141432.tif 000006
【図５】
2009141432.tif 000007
【図６】
2009141432.tif 000008
【図７】
2009141432.tif 000009
【図８】
2009141432.tif 000010
【図９】
2009141432.tif 000011
【図１０】
2009141432.tif 000012
【図１１】
2009141432.tif 000013
【図１２】
2009141432.tif 000014
【図１３】
2009141432.tif 000015
【図１４】
2009141432.tif 000016
【図１５】
2009141432.tif 000017
【図１６】
2009141432.tif 000018